(57)【要約】【課題】光検出器の小型、薄型化、ひいては光ピックアップ装置、光ヘッド装置の小型、薄型化を図る。【解決手段】光ピックアップ装置の光検出器１７は、１パッケージ内から２波長以上の光を並行に出射する半導体レーザから出射するレーザ光または、そのレーザ光が反射物より反射してきた反射光を受光するために、１パッケージ内で８分割以上に分割され、かつ、動作電源入力ピン３ピンで信号出力ピン７ピン以内に構成されている。【選択図】図１
2007048461.tif 000002
【特許請求の範囲】
【請求項１】
１パッケージ内から２波長以上の光を並行に出射する半導体レーザから出射するレーザ光、またはそのレーザ光が反射物より反射してきた反射光を受光するために、１パッケージ内で８分割以上に分割され、かつ、動作電源入力ピン３ピンで信号出力ピン７ピン以内に構成されていることを特徴とする光検出器。
【請求項２】
１パッケージ内から２波長以上の光を並行に出射する半導体レーザを搭載し、かつ、請求項１記載の光検出器を搭載したことを特徴とする光ピックアップ装置。
【請求項３】
１パッケージ内から２波長以上の光を並行に出射する半導体レーザを搭載し、かつ、請求項１記載の光検出器を搭載したことを特徴とする光ヘッド装置。
【請求項４】
１パッケージ内から２波長以上の光を発光点位置がずれていて並行に出射する半導体レーザから出射するレーザ光、またはそのレーザ光が反射物より反射してきた反射光を受光するために、１パッケージ内で８分割以上に分割され、かつ、動作電源入力ピン３ピンで信号出力ピン７ピン以内に構成されていることを特徴とする光検出器。
【請求項５】
１パッケージ内から２波長以上の光を発光点位置がずれていて並行に出射する半導体レーザから出射するレーザ光、またはそのレーザ光が反射物より反射してきた反射光を受光するために、サブスポット用の受光部を２つ及びメインスポット用に田の字型に４分割された受光部を２つ以上有することを特徴とする光検出器。
【請求項６】
１パッケージ内から２波長以上の光を発光点位置がずれていて並行に出射する半導体レーザから出射するレーザ光、またはそのレーザ光が反射物より反射してきた反射光を受光するために、サブスポット用の受光部を２つ及びメインスポット用に田の字型に４分割された受光部を２つ以上横方向に並べたときに隣り合う受光部どうしを接続した形の６以上に分割された受光パターンを有することを特徴とする光検出器。
【請求項７】
１パッケージ内から２波長以上の光を発光点位置がずれていて並行に出射する半導体レーザから出射するレーザ光、またはそのレーザ光が反射物より反射してきた反射光を受光するために、メインスポット用受光部を挟む形でサブスポット用の受光部を２つ有し、及びメインスポット用に田の字型に４分割された受光部を２つ以上備え、その２つ以上の４分割された受光部を横方向に並べたとき、２つ以上の４分割された受光部の左上どうし、右上どうし、左下どうし、右下どうしを結線し、メインスポット用の受光部からの信号出力ピンを５ピン内にしたことを特徴とする光検出器。
【請求項８】
１パッケージ内から２波長以上の光を発光点位置がずれていて並行に出射する半導体レーザから出射するレーザ光、またはそのレーザ光が反射物より反射してきた反射光を受光するために、メインスポット用受光部を挟む形でサブスポット用の受光部を２つ有し、及びメインスポット用に田の字型に４分割された受光部を２つ以上備え、その２つ以上の４分割された受光部を横方向に並べて、隣り合う受光部どうしを接続した形の６以上に分割された受光パターンを備え、この受光部の横方向に対し、１つ置きに隣り合う受光部ごとを結線し、メインスポット用受光部からの信号出力ピンを５ピン以内にしたことを特徴とする光検出器。
【請求項９】
１パッケージ内から２波長以上の光を発光点位置がずれていて並行に出射する半導体レーザを搭載し、かつ、請求項４ないし請求項８のいずれか記載の光検出器を搭載したことを特徴とする光ピックアップ装置。
【請求項１０】
１パッケージ内から２波長以上の光を発光点位置がずれていて並行に出射する半導体レーザを搭載し、かつ、請求項４ないし請求項８のいずれか記載の光検出器を搭載したことを特徴とする光ヘッド装置。
【発明の詳細な説明】
【技術分野】
【０００１】
本発明は、光学式情報記憶再生装置における光ピックアップ装置に係り、特に２波長以上の半導体レーザを搭載する光ピックアップ装置に搭載する光検出器（またはアンプ付受光素子）、その光検出器及び２波長以上の半導体レーザを搭載する光ピックアップ装置、さらには光ヘッド装置（光学式情報記憶再生装置）に関する。
【背景技術】
【０００２】
現在の光ピックアップ装置は、光検出器及び信号処理回路及びそれらを用いた光学的情報再生装置（特願平１１−１７１８４４号）や光ヘッド（特許文献１）等に開示されているように、２波長以上の光を出射する半導体レーザが２個以上のパッケージから構成されるものであり、これに伴い１個以上の光検出器またはアンプ付き受光素子を搭載していた。しかし最近、２波長以上の光を出射する半導体レーザを、発光点位置が幾らかずらして１つのパッケージに簡素化する技術が提案されている。
【０００３】
図５は、従来例に係る光検出器の受光パターンを示す図である。受光部Ａ，Ｂ，Ｃ，Ｄにメインスポットが照射され、受光部Ｅ，Ｆにサブスポットが照射されるが、この光検出器では図に示す通り、光ディスクからの光が受光パターンからはみ出してしまう。これより、２個以上の光検出器またはアンプ付受光素子が必要であった。
【０００４】
【特許文献１】特開平８−５５３６３号公報
【発明の開示】
【発明が解決しようとする課題】
【０００５】
上述したように従来は、１パッケージ内から２波長以上の光を発光点位置をずらして並行に出射する半導体レーザを用い、半導体レーザを１つのパッケージに簡素化したにも係わらず、２個以上の光検出器またはアンプ付受光素子を必要とする。そのため光学部品（具体的にはプリズム、レンズ、ミラーなど）の部品点数を削減することができず、１パッケージ内から２波長以上の光を発光点位置をずらして並行に出射する半導体レーザを搭載した光ピックアップ装置の小型、薄型化が困難であった。
【０００６】
本発明は、このような従来技術の欠点を解消した受光パターンを提案し、光検出器の集積化、ひいては光ピックアップ装置、光ヘッド装置の小型、薄型化を図ることを目的とする。
【課題を解決するための手段】
【０００７】
上記目的を達成するために、第１の手段の光検出器は、１パッケージ内から２波長以上の光を並行に出射する半導体レーザから出射するレーザ光、またはそのレーザ光が反射物より反射してきた反射光を受光するために、１パッケージ内で８分割以上に分割され、かつ、動作電源入力ピン３ピンで信号出力ピン７ピン以内に構成されていることを特徴とする。
【０００８】
また第２の手段の光ピックアップ装置は、１パッケージ内から２波長以上の光を並行に出射する半導体レーザを搭載し、かつ、前記第１の手段の光検出器を搭載したことを特徴とする。
【０００９】
また第３の手段の光ヘッド装置は、１パッケージ内から２波長以上の光を並行に出射する半導体レーザを搭載し、かつ、前記第１の手段の光検出器を搭載したことを特徴とする。
【００１０】
また第４の手段の光検出器は、１パッケージ内から２波長以上の光を発光点位置がずれていて並行に出射する半導体レーザから出射するレーザ光、またはそのレーザ光が反射物より反射してきた反射光を受光するために、１パッケージ内で８分割以上に分割され、かつ、動作電源入力ピン３ピンで信号出力ピン７ピン以内に構成されていることを特徴とする。
【００１１】
また第５の手段の光検出器は、１パッケージ内から２波長以上の光を発光点位置がずれていて並行に出射する半導体レーザから出射するレーザ光、またはそのレーザ光が反射物より反射してきた反射光を受光するために、サブスポット用の受光部を２つ及びメインスポット用に田の字型に４分割された受光部を２つ以上有することを特徴とする。
【００１２】
また第６の手段の光検出器は、１パッケージ内から２波長以上の光を発光点位置がずれていて並行に出射する半導体レーザから出射するレーザ光、またはそのレーザ光が反射物より反射してきた反射光を受光するために、サブスポット用の受光部を２つ及びメインスポット用に田の字型に４分割された受光部を２つ以上横方向に並べたときに隣り合う受光部どうしを接続した形の６以上に分割された受光パターンを有することを特徴とする。
【００１３】
また第７の手段の光検出器は、１パッケージ内から２波長以上の光を発光点位置がずれていて並行に出射する半導体レーザから出射するレーザ光、またはそのレーザ光が反射物より反射してきた反射光を受光するために、メインスポット用受光部を挟む形でサブスポット用の受光部を２つ有し、及びメインスポット用に田の字型に４分割された受光部を２つ以上備え、その２つ以上の４分割された受光部を横方向に並べたとき、２つ以上の４分割された受光部の左上どうし、右上どうし、左下どうし、右下どうしを結線し、メインスポット用の受光部からの信号出力ピンを５ピン内にしたことを特徴とする。
【００１４】
また第８の手段の光検出器は、１パッケージ内から２波長以上の光を発光点位置がずれていて並行に出射する半導体レーザから出射するレーザ光、またはそのレーザ光が反射物より反射してきた反射光を受光するために、メインスポット用受光部を挟む形でサブスポット用の受光部を２つ有し、及びメインスポット用に田の字型に４分割された受光部を２つ以上備え、その２つ以上の４分割された受光部を横方向に並べたとき、隣り合う受光部どうしを接続した形の６以上に分割された受光パターンを備え、この受光部の横方向に対し、１つ置きに隣り合う受光部ごとを結線し、メインスポット用受光部からの信号出力ピンを５ピン以内にしたことを特徴とする。
【００１５】
また第９の手段の光ピックアップ装置は、１パッケージ内から２波長以上の光を発光点位置がずれていて並行に出射する半導体レーザを搭載し、かつ、前記第４〜８の手段のいずれかの光検出器を搭載したことを特徴とする。
【００１６】
また第１０の手段の光ヘッド装置は、１パッケージ内から２波長以上の光を発光点位置がずれていて並行に出射する半導体レーザを搭載し、かつ、前記第４〜８の手段のいずれかの光検出器を搭載したことを特徴とする。
【発明の効果】
【００１７】
本発明は前述のような構成になっており、光検出器そのもの、及びその光検出器が組み込まれた光ピックアップ装置、光ヘッド装置の小型化及び薄型化を図ることができる。
【発明を実施するための最良の形態】
【００１８】
以下、本発明の実施の形態を図面に基づいて説明する。図１は第１の実施形態に係る光検出器の受光パターンを示す図、図２は第２の実施形態に係る光検出器の受光パターンを示す図、図３は第１の実施形態に係る光ピックアップ装置の構成図、図４は第２の実施形態に係る光ピックアップ装置の構成図である。
【００１９】
まず、図３に示す光ピックアップ装置の構成、動作を説明する。１パッケージ内から２波長以上の光を発光点位置をずらして並行に出射する半導体レーザ１６から出射された光のうち、一方をＨ１波長光（具体的には波長が７８０ｎｍのＣＤレーザ）、もう一方をＨ２波長光（具体的には波長が６５０ｎｍのＤＶＤレーザ）とする。
【００２０】
Ｈ１波長光が出射されたとき、このＨ１波長光は回析格子１８で０次光と±１次光に回析しながら通過し、ハーフミラー９にて反射され、コリメートレンズ６を通過し、さらに反射ミラー５にて反射され、対物レンズ１３を通過し、光ディスクに光スポットを形成する。
【００２１】
そして光ディスクに形成された光スポットが反射され、この光スポットは対物レンズ１３を通過し、反射ミラー５にて反射され、コリメートレンズ６を通過してハーフミラー９を通過し、さらに凹レンズ１０を通過し、光検出器１７に入射する。光ディスクで反射された光スポットが光検出器１７に入射するすることで、光検出器１７によって光ディスクに記憶されていた情報が読み取られる。
【００２２】
ここで、光検出器１７が図１の受光パターンの場合の動作を説明する。光検出器１７上において、受光部Ａ１，Ｂ１，Ｃ１，Ｄ１にメインスポットを照射し、受光部Ｅ，Ｆにサブスポットを照射する。各受光部Ａ１，Ｂ１，Ｃ１，Ｄ１，Ｅ，Ｆは、入射した光を電流に変換し、オペアンプ等の回路内でＩ（電流）−Ｖ（電圧）変換を行う。
【００２３】
これら各受光部からの電圧を下記に示す式により演算を行い、光ピックアップ装置に搭載された対物レンズ１３を動作させ、光ディスク上に記憶されていた情報を読み取る。
【００２４】
フォーカスエラー信号：（Ａｎ＋Ｃｎ）−（Ｂｎ＋Ｄｎ）・・・（１）
トラッキングエラー信号：３スポット方式の場合（Ｅ−Ｆ）または（Ｆ−Ｅ）
・・・（２）
時間差方式の場合（Ａｎ＋Ｂｎ）−（Ｃｎ＋Ｄｎ）
または（Ｃｎ＋Ｄｎ）−（Ａｎ＋Ｂｎ）・・・（３）
出力信号（ＨＦ信号）：（Ａｎ＋Ｂｎ＋Ｃｎ＋Ｄｎ）・・・・・（４）
ｎ＝１時とはＨ１波長光を受光しているときを示し、ｎ＝２時とはＨ２波長光を受光しているときである。
【００２５】
Ｈ２波長光が出射されたときについても上記と同じであるが（Ｈ２波長光のメインスポットは受光部Ａ２，Ｂ２，Ｃ２，Ｄ２に照射される）、Ｈ１波長光が出射されているときはＨ２波長光は出射されない状態になる。
【００２６】
ここでスポットが３個以上の場合は、さらに後段の受光部に照射される。なお、光検出器１７上のＨ１波長光とＨ２波長光の間隔は、１パッケージ内から２波長以上の光を発光点位置をずらして並行に出射する半導体レーザ１６の発光点位置のずれ間隔と同一である。
【００２７】
次に図４の光ピックアップ装置の構成、動作を説明する。半導体レーザ１６からのＨ１波長光は、回析格子１８で０次光と±１次光に回析しながら通過し、ハーフミラー９にて反射され、コリメートレンズ６を通過し、対物レンズ１３を通過し、光ディスクに光スポットを形成する。
【００２８】
光ディスクからの反射光は対物レンズ１３、コリメートレンズ６、ハーフミラー９、凹レンズ１０の順で通過し、光検出器１７に入射して光ディスクに記憶されていた情報が読み取られる。光検出器１７が図１の受光パターンの場合の動作は上述した通りである。
【００２９】
ここで、図１の光検出器１７についてさらに説明する。この光検出器１７は１パッケージ内で８分割以上に分割され、かつ、動作電源入力ピン３ピンで信号出力ピン７ピン以内に構成されている。また、サブスポット用の受光部を２つ及びメインスポット用に田の字型に４分割された受光部を２つ以上有する。さらに、メインスポット用受光部を挟む形でサブスポット用の受光部を２つ有し、及びメインスポット用に田の字型に４分割された受光部を２つ以上備え、その２つ以上の４分割された受光部を横方向に並べて、２つ以上の４分割された受光部の左上どうし、右上どうし、左下どうし、右下どうしを結線し、メインスポット用の受光部からの信号出力ピンを５ピン内にした。
【００３０】
次に図３、図４に示す光検出器１７が図２の受光パターンの場合の光検出器１７の動作を説明する。図２に示す受光パターンの場合、Ｈ１波長光は、受光部Ａ１，Ａ２，Ｂ１，Ｂ２にメインスポットを照射し、受光部Ｅ，Ｆにサブスポットを照射する。各受光部Ａ１，Ａ２，Ｂ１，Ｂ２，Ｅ，Ｆは、入射した光を電流に変換し、オペアンプ等の回路内にてＩ（電流）−Ｖ（電圧）変換を行う。
【００３１】
これら各受光部からの電圧を下記に示す式により演算を行い、光ピックアップ装置に搭載された対物レンズ１３を動作させ、光ディスク上に記憶されていた情報を読み取る。
【００３２】
フォーカスエラー信号：｛（Ａｎ＋Ｂ（ｎ＋１））−（Ａ（ｎ＋１）＋Ｂｎ）｝×（−１）（ｎ＋１）                                           ・・・（５）
トラッキングエラー信号：３スポット方式の場合（Ｅ−Ｆ）または（Ｆ−Ｅ）
・・・（６）
時間差方式の場合（Ａ（ｎ＋１）＋Ｂ（ｎ＋１））−（Ａｎ−Ｂｎ）または（Ａｎ＋Ｂｎ）−（Ａ（ｎ＋１）＋Ｂ（ｎ＋１））
・・・（７）
出力信号（ＨＦ信号）：（Ａｎ＋Ｂｎ＋Ａ（ｎ＋１）＋Ｂ（ｎ＋１））
・・・（８）
ｎ＝１時とはＨ１波長光を受光しているときを示し、ｎ＝２時とはＨ２波長光を受光しているときである。
【００３３】
Ｈ２波長光が出射されたときについても上記と同じであるが（Ｈ２波長光のメインスポットは受光部Ａ２，Ａ３，Ｂ２，Ｂ３に照射される）、Ｈ１波長光が出射されているときはＨ２波長光は出射されない状態になる。
【００３４】
なお、光検出器１７上のＨ１波長光とＨ２波長光の間隔は、１パッケージ内から２波長以上の光を発光点位置をずらして並行に出射する半導体レーザ１６の発光点位置のずれ間隔と同一である。
【００３５】
図２の光検出器１７は、サブスポット用の受光部を２つ及びメインスポット用に田の字型に４分割された受光部を２つ以上横方向に並べたときに隣り合う受光部どうしを接続した形の６以上に分割された受光パターンを有する。また、メインスポット用受光部を挟む形でサブスポット用の受光部を２つ有し、及びメインスポット用に田の字型に４分割された受光部を２つ以上備え、その２つ以上の４分割された受光部を横方向に並べたとき、隣り合う受光部どうしを接続した形の６以上に分割された受光パターンを備え、この受光部の横方向に対し、１つ置きに隣り合う受光部ごとを結線し、メインスポット用受光部からの信号出力ピンを５ピン以内にしたものである。
【図面の簡単な説明】
【００３６】
【図１】第１の実施の形態に係る光検出器の受光パターンを示す図である。
【図２】第２の実施の形態に係る光検出器の受光パターンを示す図である。
【図３】第１の実施の形態に係る光ピックアップ装置の構成図である。
【図４】第２の実施の形態に係る光ピックアップ装置の構成図である。
【図５】従来例に係る光検出器の受光パターンを示す図である。
【符号の説明】
【００３７】
５  反射ミラー
６  コリメートレンズ
９  ハーフミラー
１０  凹レンズ
１３  対物レンズ
１６  半導体レーザ
１７  光検出器
１８  回析格子
【図１】
2007048461.tif 000003
【図２】
2007048461.tif 000004
【図３】
2007048461.tif 000005
【図４】
2007048461.tif 000006
【図５】
2007048461.tif 000007
【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
１パッケージ内から複数の波長の光を出射する半導体レーザと、前記複数の波長の光を検出する光検出器とを搭載する光ピックアップ装置であって、
前記光検出器は、略田の字型に４分割された少なくとも２つのメインスポット用受光部と、前記メインスポット用受光部を挟むように配置された２つのサブスポット用受光部とを有し、
前記少なくとも２つのメインスポット用受光部は、前記サブスポット用受光部と前記メインスポット用受光部の並び方向と略直交する方向にそれぞれ並んで配置されており、それぞれのメインスポット用受光部の左上同士、右上同士、左下同士、右下同士の受光部が結線されていることを特徴とする光ピックアップ装置。
【請求項２】
前記光検出器の前記メインスポット用受光部からの出力信号ピンが５ピン以内であることを特徴とする請求項１に記載の光ピックアップ装置。
【手続補正３】
【補正対象書類名】明細書
【補正対象項目名】０００１
【補正方法】変更
【補正の内容】
【０００１】
本発明は、光学式情報記憶装置における光ピックアップ装置に係り、特に２波長以上の半導体レーザを搭載する光ピックアップ装置に関する。
【手続補正４】
【補正対象書類名】明細書
【補正対象項目名】０００７
【補正方法】変更
【補正の内容】
【０００７】
上記目的を達成するために、本発明の光ピックアップ装置は、１パッケージ内から複数の波長の光を出射する半導体レーザと、前記複数の波長の光を検出する光検出器とを搭載する光ピックアップ装置であって、前記光検出器は、略田の字型に４分割された少なくとも２つのメインスポット用受光部と、前記メインスポット用受光部を挟むように配置された２つのサブスポット用受光部とを有し、前記少なくとも２つのメインスポット用受光部は、前記サブスポット用受光部と前記メインスポット用受光部の並び方向と略直交する方向にそれぞれ並んで配置されており、それぞれのメインスポット用受光部の左上同士、右上同士、左下同士、右下同士の受光部が結線されていることを特徴とするものである。
【手続補正５】
【補正対象書類名】明細書
【補正対象項目名】０００８
【補正方法】変更
【補正の内容】
【０００８】
本発明の光ピックアップ装置においては、前記光検出器の前記メインスポット用受光部からの出力信号ピンが５ピン以内であることが好ましい。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】